(57)【要約】      （修正有）【課題】肝と膵臓の消化酵素又は病変部位によって発生した膿瘍が浸透圧によって胃に移動するように胃と胆管を連結する人体消化器官連結用ステント挿入装置を提供する。【解決手段】外部チューブの一側に連結された第１取っ手に外部チューブと連通する第１内部通路が形成、前記外部チューブと第１内部通路に移動可能に挿入される内部チューブの一側に連結された第２取っ手には内部チューブと連通する第２内部通路が形成、前記内部チューブと外部チューブとの間に人体消化器官連結用ステントが圧着状態で装着される装着空間が形成、前記内部チューブと第２内部通路に移動可能に挿入される絶縁チューブの一側に連結された第３取っ手には絶縁チューブと連通する第３内部通路が形成、前記絶縁チューブの反対側に連結された、胃と胆管に孔形成施術を行うとき、内外側チューブから露出されるニードルナイフには絶縁チューブと連通する第４内部通路が形成される。【選択図】図２
2020081713.tif 000002
【特許請求の範囲】
【請求項１】
外部チューブの一側には第１取っ手が連結され、前記第１取っ手には外部チューブと連通する第１内部通路が形成され、
前記外部チューブと第１内部通路に移動可能に挿入される内部チューブの一側には第２取っ手が連結され、前記第２取っ手には内部チューブと連通する第２内部通路が形成され、前記内部チューブの反対側には外部チューブとの間に人体消化器官連結用ステントが圧着状態で装着される装着空間が形成され、
前記内部チューブと第２内部通路に移動可能に挿入される絶縁チューブの一側には第３取っ手が連結され、前記第３取っ手には絶縁チューブと連通する第３内部通路が形成され、前記絶縁チューブの反対側には、胃と胆管に孔形成施術を行うとき、内外側チューブから露出されるニードルナイフが連結され、
前記ニードルナイフには絶縁チューブと連通する第４内部通路が形成されることを特徴とする、人体消化器官連結用ステント挿入装置。
【請求項２】
前記第３内部通路と絶縁チューブと第４内部通路に移動可能に挿入されるガイドワイヤを含むことを特徴とする、請求項１に記載の人体消化器官連結用ステント挿入装置。
【請求項３】
前記ニードルナイフは、胃と胆管に孔形成施術を完了した後、第３取っ手の後進によって内部チューブに挿入されることを特徴とする、請求項１に記載の人体消化器官連結用ステント挿入装置。
【発明の詳細な説明】
【技術分野】
【０００１】
本発明は、人体消化器官連結用ステント挿入装置に関し、より詳しくは、十二指腸に隣接した胆管の一部分に狭窄又は閉塞する病変部位が発生するとき、肝と膵臓の消化酵素又は病変部位によって発生した膿瘍が浸透圧によって胃に移動するように胃と胆管を連結する人体消化器官連結用ステント挿入装置に関する。
【背景技術】
【０００２】
一般に、人体の食道、十二指腸、胆道、尿道、尿管のような人体の内腔に狭窄又は閉塞する病変部位が発生すれば、体液を移動させる内腔としての固有の機能が低下する問題点が発生した。
【０００３】
このため、従来には狭窄又は閉塞する病変部位の位置に挿入装置を介してステントを挿入して、狭くなった内腔を拡張させた。
【０００４】
これに関連して、特許文献１は、把持胴体に連結された外部チューブの内部に後方側から押し棒を挿入して前方側に突出するように構成し、前記押し棒の先端には、内部にステントが体積を縮小して挿入されて装着された状態で後端部が外部チューブの先端に挿入される装着チューブを取り付け、前記押し棒で装着チューブを押すことによってステントの後端から先端に次第に元の状態に膨脹させて復元させるように施術するように構成されたことを特徴とする身体狭窄部位施術用ステント挿入装置を提供した。
【０００５】
しかし、現在には、十二指腸に隣接した胆管の一部分に狭窄又は閉塞する病変部位が発生するとき、肝と膵臓の消化酵素又は病変部位によって発生した膿瘍が胆管に溜まることを防止するために胃と胆管を連結するステント挿入装置を要求している実情である。
【先行技術文献】
【特許文献】
【０００６】
【特許文献１】韓国登録特許第１０−０８２２０４５号公報
【発明の概要】
【発明が解決しようとする課題】
【０００７】
そこで、本発明は、十二指腸に隣接した胆管の一部分に狭窄又は閉塞する病変部位が発生するとき、肝と膵臓の消化酵素又は病変部位によって発生した膿瘍が浸透圧によって胃に移動するように胃と胆管を連結する人体消化器官連結用ステント挿入装置を提供することを目的とする。
【課題を解決するための手段】
【０００８】
上記目的を達成するために、本発明は、外部チューブの一側には第１取っ手が連結され、前記第１取っ手には外部チューブと連通する第１内部通路が形成され、前記外部チューブと第１内部通路に移動可能に挿入される内部チューブの一側には第２取っ手が連結され、前記第２取っ手には内部チューブと連通する第２内部通路が形成され、前記内部チューブの反対側には外部チューブとの間に人体消化器官連結用ステントが圧着状態で装着される装着空間が形成され、前記内部チューブと第２内部通路に移動可能に挿入される絶縁チューブの一側には第３取っ手が連結され、前記第３取っ手には絶縁チューブと連通する第３内部通路が形成され、前記絶縁チューブの反対側には、胃と胆管に孔形成施術を行うとき、内外側チューブから露出されるニードルナイフが連結され、前記ニードルナイフには絶縁チューブと連通する第４内部通路が形成されることを特徴とする人体消化器官連結用ステント挿入装置を提供する。
【発明の効果】
【０００９】
本発明は、ニードルナイフの貫通力及びニードルナイフの高周波熱によって胃と胆管に孔形成施術を速かに行うことができる効果がある。
【００１０】
また、ニードルナイフの貫通力及びニードルナイフの高周波熱によって胃と胆管に孔が形成されるので、胃と胆管に対する切開作業が不必要な効果がある。
【００１１】
また、内外側チューブ及び絶縁チューブの折れ現象をガイドワイヤが防止するので、直進性が向上し、施術状況によって内外側チューブ及び絶縁チューブの前後進が速かに行われる効果がある。
【００１２】
すなわち、人体消化器官連結用ステントの設置施術が速かに行われて患者の体力的負担を減らす効果がある。
【００１３】
本発明は、胃と胆管に孔形成施術を完了した後、第３取っ手の後進によってニードルナイフが内部チューブに挿入される効果がある。
【００１４】
すなわち、胃と胆管に孔形成施術を完了した後、ニードルナイフが胆管を不必要に突き刺すとかニードルナイフで発生する高周波熱に胆管の内面が不必要に焦げることを防止する効果がある。
【図面の簡単な説明】
【００１５】
【図１】本発明の実施例による人体消化器官連結用ステント挿入装置の正面図である。
【図２】図１の断面図である。
【図３】本発明の実施例による人体消化器官連結用ステント挿入装置の使用状態図である。
【図４】本発明の実施例による人体消化器官連結用ステント挿入装置の使用状態図である。
【図５】本発明の実施例による人体消化器官連結用ステント挿入装置の使用状態図である。
【図６】本発明の実施例による人体消化器官連結用ステント挿入装置の使用状態図である。
【図７】本発明の実施例による人体消化器官連結用ステント挿入装置の使用状態図である。
【発明を実施するための形態】
【００１６】
前述したような本発明の実施例を添付図面に基づいて詳細に説明すれば次のようである。
【００１７】
図１〜図７に示したように、本発明の実施例による人体消化器官連結用ステント挿入装置１００は、十二指腸３に隣接した胆管４の一部分に狭窄又は閉塞する病変部位が発生するとき、胆管４と胃５を連結するように人体消化器官連結用ステント１で施術するときに使われる。
【００１８】
すなわち、前記人体消化器官連結用ステント挿入装置１００は、肝６と膵臓７の消化酵素又は病変部位によって発生した膿瘍が浸透圧によって胃５に移動するように、人体消化器官連結用ステント１で施術するときに使われる。
【００１９】
そして、前記人体消化器官連結用ステント挿入装置１００は、外部チューブ１０と、前記外部チューブ１０の一側に連結される第１取っ手１１とを含む。
【００２０】
ここで、前記第１取っ手１１には外部チューブ１０と連通する第１内部通路１１ａが形成される。
【００２１】
そして、前記人体消化器官連結用ステント挿入装置１００は、外部チューブ１０と第１内部通路１１ａに移動可能に挿入される内部チューブ２０と、前記内部チューブ２０の一側に連結される第２取っ手２１とを含む。
【００２２】
ここで、前記第２取っ手２１には内部チューブ２０と連通する第２内部通路２１ａが形成され、前記内部チューブ２０の反対側には外部チューブ１０との間に人体消化器官連結用ステント１が圧着状態で装着される装着空間２０ａが形成される。
【００２３】
そして、前記人体消化器官連結用ステント挿入装置１００は、内部チューブ２０と第２内部通路２１ａに移動可能に挿入される絶縁チューブ３０と、前記絶縁チューブ３０の一側に連結される第３取っ手３１とを含む。
【００２４】
ここで、前記第３取っ手３１には絶縁チューブ３０と連通する第３内部通路３１ａが形成され、前記絶縁チューブ３０の反対側には、胃５と胆管４に孔形成施術を行うとき、内外側チューブ１０、２０から露出されるニードルナイフ３２が連結される。
【００２５】
また、前記ニードルナイフ３２には絶縁チューブ３０と連通する第４内部通路３２ａが形成され、かつ第３内部通路３１ａと絶縁チューブ３０と前記第４内部通路３２ａに挿入される高周波発生器２の電気線２ａが連結される。
【００２６】
そして、前記人体消化器官連結用ステント挿入装置１００は、第３内部通路３１ａと絶縁チューブ３０と第４内部通路３２ａに移動可能に挿入されるガイドワイヤ４０を含む。
【００２７】
前記人体消化器官連結用ステント１は、両側に拡管部１ａが突設され、人体との親和性を有する医療用被膜でコーティング処理される。
【００２８】
前記のように構成された本発明の実施例による前記人体消化器官連結用ステント挿入装置１００の作用及び効果を説明すれば次のようである。
【００２９】
図１〜図７に示したように、前記十二指腸３に隣接した胆管４の一部分に狭窄又は閉塞する病変部位が発生すれば、人体の表面を一部切開し、その切開された部分を通じて前記人体の内部に内視鏡と外部チューブ１０を押し入れる。
【００３０】
ここで、前記ニードルナイフ３２は内外側チューブ１０、２０から露出されない状態であり、ガイドワイヤ４０は第３内部通路３１ａと絶縁チューブ３０と第４内部通路３２ａに挿入された状態であり、前記内外側チューブ１０、２０の間に形成された装着空間２０ａに人体消化器官連結用ステント１が圧着状態で装着された状態である。
【００３１】
そして、前記内視鏡で胃５の施術すべき位置を確認すれば、外部チューブ１０を前記胃５の施術位置に位置させる。
【００３２】
その後、前記第３取っ手３１を前進させてニードルナイフ３２を内外側チューブ１０、２０から露出させた後、高周波発生器２を作動させることによって電気線２ａを介して前記ニードルナイフ３２に電流を供給する。
【００３３】
すると、前記ニードルナイフ３２は高周波熱を発生する。
【００３４】
その後、前記第１、第２及び第３取っ手１１、２１、３１とガイドワイヤ４０を胃５から胆管４まで一緒に前進させることで、ニードルナイフ３２が胃５と胆管４に孔を形成するように貫通させる。
【００３５】
ここで、前記胃５と胆管４はニードルナイフ３２で発生する高周波熱によって孔が形成される位置が焦げられながらニードルナイフ３２の貫通力に前記孔が形成される。
【００３６】
また、前記ニードルナイフ３２によって胃５と胆管４に孔形成施術を行うとき、ガイドワイヤ４０が内外側チューブ１０、２０と絶縁チューブ３０を支持するから、前進する前記内外側チューブ１０、２０と絶縁チューブ３０で折れ現象が発生しない。
【００３７】
そして、前記胃５と胆管４に孔形成施術を完了した後、第３取っ手３１を後進させることで、前記胆管４の内部に位置するニードルナイフ３２を内部チューブ２０に挿入させるとともに高周波発生器２の作動を中断させる。
【００３８】
ここで、前記第３取っ手３１は第３内部通路３１ａに挿入されたガイドワイヤ４０に沿って後進し、絶縁チューブ３０も挿入された前記ガイドワイヤ４０に沿って後進するようになる。
【００３９】
その後、前記第１取っ手１１を後進させることで、内部チューブ２０の装着空間２０ａに圧着状態で装着された人体消化器官連結用ステント１が元の状態に拡張するまで外部チューブ１０を後進させる。
【００４０】
ここで、前記第１取っ手１１は第１内部通路１１ａに挿入された内部チューブ２０に沿って後進し、外部チューブ１０も挿入された前記内部チューブ２０に沿って後進するようになる。
【００４１】
すると、前記人体消化器官連結用ステント１は胃５と胆管４に形成された孔に挿入され、前記孔の周辺に人体消化器官連結用ステント１の拡管部１ａがかかる。
【００４２】
すなわち、前記胃５と胆管４は人体消化器官連結用ステント１によって連結される。
【００４３】
その後、前記第１、第２及び第３取っ手１１、２１、３１を後進させることで、内外側チューブ１０、２０及び絶縁チューブ３０及びニードルナイフ３２を人体から抜け出るように後進させる。
【００４４】
ここで、前記第３内部通路３１ａと絶縁チューブ３０と第４内部通路３２ａに挿入されたガイドワイヤ４０が内外側チューブ１０、２０と絶縁チューブ３０を支持するので、後進する前記内外側チューブ１０、２０と絶縁チューブ３０で折れ現象が発生しない。
【００４５】
そして、前記ガイドワイヤ４０を人体から抜け出るように後進させることで、人体消化器官連結用ステント１の設置施術を終了する。
【００４６】
すると、前記の肝６と膵臓７の消化酵素は十二指腸３に隣接した胆管４の一部分で発生した狭窄又は閉塞する病変部位に溜まらず、浸透圧によって前記胆管４から人体消化器官連結用ステント１に沿って胃５に移動するようになる。
【００４７】
すなわち、前記の肝６と膵臓７の消化酵素によって十二指腸３で行われていた飲食物の消化が胃５で行われる。
【００４８】
また、前記病変部位によって発生した膿瘍も浸透圧によっての胃５に移動するので、十二指腸３に隣接した胆管４の一部分で発生した狭窄又は閉塞する病変部位に溜まらない。
【００４９】
一方、前記人体消化器官連結用ステント挿入装置１００は、胃５と胆管４に孔形成施術を行うときに高周波熱が必要でない場合、すなわち非電気的に施術する場合、電気線２ａを介してニードルナイフ３２に電流が供給されないように、高周波発生器２を作動させない。
【００５０】
すなわち、前記高周波熱なしにニードルナイフ３２の貫通力のみで施術する。
【００５１】
以上では本発明を特定の好適な実施例に基づいて図示して説明したが、本発明は前述した実施例に限定されなく、本発明の精神を逸脱しない範疇内で本発明が属する技術分野で通常の知識を有する者によって多様な変更及び修正が可能であろう。
【符号の説明】
【００５２】
１０  外部チューブ
１１  第１取っ手
１１ａ  第１内部通路
２０  内部チューブ
２０ａ  装着空間
２１  第２取っ手
２１ａ  第２内部通路
３０  絶縁チューブ
３１  第３取っ手
３１ａ  第３内部通路
３２  ニードルナイフ
３２ａ  第４内部通路
４０  ガイドワイヤ
１００  人体消化器官連結用ステント挿入装置
【図１】
2020081713.tif 000003
【図２】
2020081713.tif 000004
【図３】
2020081713.tif 000005
【図４】
2020081713.tif 000006
【図５】
2020081713.tif 000007
【図６】
2020081713.tif 000008
【図７】
2020081713.tif 000009
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
外部チューブ（１０）の一側には第１取っ手（１１）が連結され、前記第１取っ手には外部チューブと連通する第１内部通路（１１ａ）が形成され、
前記外部チューブと第１内部通路に移動可能に挿入される内部チューブ（２０）の一側には第２取っ手（２１）が連結され、前記第２取っ手には前記内部チューブと連通する第２内部通路（２１ａ）が形成され、前記内部チューブの反対側には外部チューブとの間に人体消化器官連結用ステントが圧着状態で装着される装着空間が形成され、
前記内部チューブと第２内部通路に移動可能に挿入される絶縁チューブ（３０）の一側には第３取っ手（３１）が連結され、前記第３取っ手には前記絶縁チューブと連通する第３内部通路（３１ａ）が形成され、前記絶縁チューブの反対側には、胃と胆管に孔形成施術を行うための、前記内部及び外部チューブから露出されるニードルナイフ（３２）が連結され、
前記ニードルナイフには前記絶縁チューブと連通する第４内部通路（３２ａ）が形成され、
前記絶縁チューブは、前記第４内部通路に挿入される高周波発振器（２）の電気線（２ａ）の絶縁用のチューブであり、
前記第３内部通路と前記絶縁チューブと前記第４内部通路に移動可能に挿入されるガイドワイヤ（４０）を含むことを特徴とする、人体消化器官連結用ステント挿入装置。
【請求項２】
前記ニードルナイフは、胃と胆管に孔形成施術を完了した後、第３取っ手の後進によって前記内部チューブに挿入されることを特徴とする、請求項１に記載の人体消化器官連結用ステント挿入装置。